(57)【特許請求の範囲】
【請求項１】
中心軸の周りに複数のボルト取付孔がほぼ同一円周上でほぼ同一の中心角を有するように配設され、複数のボルトによって円形のタンクフランジに取り付けられて、タンク内にヒータを配設する円形のヒータフランジを備え、
前記ヒータフランジに設けた前記ボルト取付孔を同一円周上から半径方向に１箇所又は複数箇所ずらし、又は前記ボルト取付孔の中心角を１箇所又は複数箇所ずらすことによって、前記ボルトの取付位置を非対称にしたことを特徴とする電気温水器。
【請求項２】
中心軸の周りに複数のボルト取付孔がほぼ同一円周上でほぼ同一の中心角を有するように配設され、複数のボルトによって円形のタンクフランジに取り付けられて、タンク内にヒータを配設する円形のヒータフランジを備え、
前記ヒータフランジに設けた前記ボルト取付孔の１箇所又は複数箇所を、同一円周上から半径方向にずらして設けるとともに、その中心角をもずらすことによって、前記ボルトの取付位置を非対称にしたことを特徴とする電気温水器。
【請求項３】
辺方向に複数のボルト取付孔がほぼ同一のピッチで配設され、複数のボルトによって多角形のタンクフランジに取り付けられて、タンク内にヒータを配設する多角形のヒータフランジを備え、
前記ヒータフランジに設けた前記ボルト取付孔間のピッチを１箇所又は複数箇所ずらすことによって、前記ボルトの取付位置を非対称にしたことを特徴とする電気温水器。
【発明の詳細な説明】
【０００１】
【発明の属する技術分野】
本発明は、電気温水器に係り、より詳しくは、ボルトの取付位置を非対称にしてヒータの誤装着を防止することができる電気温水器に関するものである。
【０００２】
【従来の技術】
図９は従来の電気温水器のタンクの一例を示す正面図、図１０は一部を断面で示した図９の側面図、図１１は図９の要部を拡大した正面図、図１２は電気温水器のタンクにヒータを誤装着した場合の一例を示す側面図である。図に示すように、タンク１にはヒータ取付け孔４が設けられており、その縁部５には環状のタンクフランジ６ａが溶接により固定されている。そして、ヒータ８が取付けられたヒータフランジ７ａをヒータ８がタンク１の下方に向く様にして、ボルト９によりタンクフランジ６ａに取付けられている。
【０００３】
ここで、タンクフランジ６ａとヒーターフランジ７ａを締結するボルト９は、同一円周上に取付けてあり、ボルト９間の中心角も全てθ1 で等間隔となっているので、上下左右とも対称となり、どの様な角度にでも取付けることができる。
【０００４】
【発明が解決しようとする課題】
上記のように構成した電気温水器は、図１０に示すように、ヒータ８がタンク１の下方に向くようにして取付けられるが、タンクフランジ６ａとヒーターフランジ７ａを締結するボルト９の取付位置が同一円周上にあり中心角θも等間隔になっているため、ヒーターフランジ７ａをどの様な角度にでも取付けることができる。このため、図１２に示すように、ヒータ８がタンク１の上方（あるいは側方等）に向くように間違えて取付けてしまい、タンク１の下方の水を加熱できない場合等があった。また、間違えて取付けても、ヒータ８はタンク１内にあるので外部からは確認ができなかった。
【０００５】
本発明は上記のような課題を解決するためになされたもので、コストアップすることなく、ヒータの取付位置の誤装着を防止して、ヒータが確実に正しい向きに取付けられるようにした電気温水器を得ることを目的とする。
【０００６】
【課題を解決するための手段】
本発明は、中心軸の周りに複数のボルト取付孔がほぼ同一円周上でほぼ同一の中心角を有するように配設され、複数のボルトによって円形のタンクフランジに取り付けられて、タンク内にヒータを配設する円形のヒータフランジを備え、前記ヒータフランジに設けたボルト取付孔を同一円周上から半径方向に１箇所又は複数箇所ずらし、又はボルト取付孔の中心角を１箇所又は複数箇所ずらすことによって、ボルトの取付位置を非対称にした。
また、円形のヒータフランジに設けた前記ボルト取付孔の１箇所又は複数箇所を、同一円周上から半径方向にずらして設けるとともに、その中心角をもずらすことによって、ボルトの取付位置を非対称にした。
さらに、辺方向に複数のボルト取付孔がほぼ同一のピッチで配設され、複数のボルトによって多角形のタンクフランジに取り付けられて、タンク内にヒータを配設する多角形のヒータフランジを備え、ヒータフランジに設けたボルト取付孔間のピッチを１箇所又は複数箇所ずらすことによって、ボルトの取付位置を非対称にした。
【０００８】
【発明の実施の形態】
［実施の形態１］
図１は本発明の実施の形態１の正面図、図２は一部を断面で示した図１の側面図、図３は図１の要部を拡大した正面図である。１は電気温水器のタンク、２はタンク１の胴体、３は胴体２の上下に位置する鏡体、４はタンク１の胴体２の側面下部に設けたヒータ取付孔、５はヒータ取付孔４の縁部である。６はヒータ取付孔４の縁部５に溶接により取付けた円形のタンクフランジ、７はタンクフランジ６に取付けた円形のヒータフランジ、８は一部をほぼＺ字状に折り曲げてその一端をヒータフランジ７に固定した状態でタンク１内に対称に配設された４本のヒータである。
【０００９】
９はヒータフランジ７をタンクフランジ６に取り付けるためのボルトで、円形のパッキン１０を介して６箇所に取り付けてあり、第１のボルト９ａ、第２のボルト９ｂ、第３のボルト９ｃ、第４のボルト９ｄ、第５のボルト９ｅ及び第６のボルト９ｆによって構成されている。なお、ヒータフランジ７は、図２に示すように、ヒータ８の他端部８ａがタンク１の下方に位置するようにしてタンクフランジ６に取付けてあり、タンク１内の水がヒータ８の熱によって沸き上げられるようにしてある。
【００１０】
ここで、ヒータフランジ７をタンクフランジ６に締結するためにヒータフランジ７に設けたボルト９の取付孔について詳述する。ボルト９の取付孔１１は、ヒータフランジ７に６箇所設けられており、これに対応してタンクフランジ６にはねじ孔が設けられているが、ヒータフランジ７においては、図３に示すように、例えば、第１のボルト取付孔１１ａ、第２のボルト取付孔１１ｂ、第３のボルト取付孔１１ｃ、第４のボルト取付孔１１ｄ、第５のボルト取付孔１１ｅ及び第６のボルト取付孔１１ｆによって構成され、これらのボルト取付孔１１ａ〜１１ｆの中心部が、ヒータフランジ７の中心Ｏから等距離ｒ1 になるように、すなわち半径ｒ1 の同一の円周Ａ上に位置するように設けてある。
【００１１】
一方、第１〜第６のボルト取付孔１１ａ〜１１ｆは、ヒータフランジ７の中心Ｏと各ボルト取付孔１１ａ〜１１ｆの中心部を直線で結んだとき、隣接する直線間のなす角度、すなわち中心角をθとすると、第４のボルト取付孔１１ｄと第５のボルト取付孔１１ｅが形成する中心角がθ2 、第５のボルト取付孔１１ｅと第６のボルト取付孔１１ｆが形成する中心角がθ3 となり、その他のボルト取付孔１１の中心角、すなわち、ボルト取付孔１１ａ〜１１ｄ及びボルト取付孔１１ｆとボルト取付孔１１ａがなす中心角θは全て等しく、θ1 となる。そして、それぞれの中心角θ1 、θ2 、θ3 の関係は、θ2 ＜θ1 ＜θ3 となっている。
【００１２】
こうして、第５のボルト取付孔１１ｅを、ヒータフランジ７の中心Ｏと第２のボルト取付孔１１ｂの中心部を結ぶ線よりもやや下方にずらして配設することによって、ボルト取付孔１１の位置が全体として非対称になるようにしてある。
なお、上記の説明では、ヒータフランジ７に設けたボルト取付孔１１ａ〜１１ｆについて説明したが、タンクフランジ６に設けられてボルト９ａ〜９ｆが螺入されるねじ孔も、ヒータフランジ７に設けたボルト取付孔１１ａ〜１１ｆと同様の配列となっている。
そして、これらのヒータフランジ７に設けたボルト取付孔１１ａ〜１１ｆとタンクフランジ６に設けたねじ孔が重なるような状態にして、第１〜第６のボルト９ａ〜９ｆをボルト取付孔１１ａ〜１１ｆからねじ孔に螺入し、ヒータフランジ７をタンクフランジ６にとり付ける。
【００１３】
上記のように構成した実施の形態１の作用を説明する。タンクフランジ６のねじ孔にヒータフランジ７のボルト取付孔１１ａ〜１１ｆを一致させ、ボルト取付孔１１ａ〜１１ｆに挿通した第１〜第６のボルト９ａ〜９ｆをタンクフランジ６のねじ孔に螺入し、ヒータフランジ７をタンクフランジ６に取付ける。この際、タンクフランジ６とヒータフランジ７を締結するボルト９ａ〜９ｆのボルト取付孔１１ａ〜１１ｆは同一円周Ａ上にあるが、第４のボルト取付孔１１ｄと第５のボルト取付孔１１ｅがなす中心角をθ2 、第５のボルト取付孔１１ｅと第６のボルト取付孔１１ｆがなす中心角をθ3 として、第５のボルト取付孔１１ｅの取付角度をずらして、全体として非対称となるようにしてあるので、ヒータフランジ７とタンクフランジ６の位置関係が１か所に定まるようになり、タンク１内において、ヒータ８が必ず下方に向くようにして取付けられる。
こうして電気温水器のヒータ８に通電すると、下方に向いて配置されたヒータ８によってタンク１内の水が暖められる。
【００１４】
実施の形態１によれば、ヒータフランジ７とタンクフランジ６の取付け位置関係が１ケ所に定まるようになり、ヒータ８が必ず下方に向くように取付けることができるので、間違えてヒータ８がタンク１の上方や側方に向くように取付けることもなく、タンク１の下方の湯が沸かなくなる等の問題が発生することはない。
【００１５】
［実施の形態２］
図４は本発明の実施の形態２の要部を示す正面図である。なお、実施の形態１と同一の構成部分には同じ符号を付し、説明を省略する。ヒータフランジ７をタンクフランジ６に締結するボルト９の取付孔はヒータフランジ７に設けられ、これに対応してタンクフランジ６にはねじ孔が設けられているが、ヒータフランジ７においては、図４に示すように、例えば、第１のボルト取付孔１１ａ、第２のボルト取付孔１１ｂ、第３のボルト取付孔１１ｃ、第４のボルト取付孔１１ｄ、第５のボルト取付孔１１ｅ及び第６のボルト取付孔１１ｆによって構成され、第１〜第４のボルト取付孔１１ａ〜１１ｄ及び第６のボルト取付孔１１ｆの中心部が、ヒータフランジ７の中心Ｏから等距離ｒ1 になるように、すなわち半径ｒ1 の同一円周Ａ上に位置するように設けてある。
一方、第５のボルト取付孔１１ｅの中心部は、中心をＯとする半径ｒ1 の円周Ａの外側に形成された同じく中心をＯとする半径ｒ2 の円周Ｂ上に位置するように、すなわちｒ2 ＞ｒ1 となる円周Ｂ上に位置するように設けてある。
【００１６】
一方、第１〜第６のボルト取付孔１１ａ〜１１ｆは、ヒータフランジ７の中心Ｏと各ボルト取付孔１１ａ〜１１ｅの中心部を直線で結び、隣接する各直線間のなす角度すなわち中心角をθとするとき、隣接する各ボルト取付孔１１ａ〜１１ｆ間の中心角θは全て等しく、θ1 となる。
こうして、第５のボルト取付孔１１ｅは、ヒータフランジ７の中心Ｏと第２のボルト取付孔１１ｂの中心部を結ぶ線上の外側方向にずらして配設することによって、ボルト取付孔の位置が全体として非対称になるようにしてある。
【００１７】
なお、上記の説明では、ヒータフランジ７に設けたボルト取付孔１１ａ〜１１ｆについて説明したが、タンクフランジ６に設けたねじ孔も、ヒータフランジ７に設けたボルト取付孔１１ａ〜１１ｆと同様の配列になっている。
そして、これらのヒータフランジ７に設けたボルト取付孔１１ａ〜１１ｆとタンクフランジ６に設けたねじ孔が重なるような状態にして、ボルト取付孔１１ａ〜１１ｆに挿通した第１〜第６のボルト９ａ〜９ｆをタンクフランジ６のねじ孔に螺入することにより、ヒータフランジ７をタンクフランジ６に取付けるようにしてある。
【００１８】
上記のように構成した実施の形態２においては、タンクフランジ６のねじ孔にヒータフランジ７のボルト取付孔１１ａ〜１１ｆを一致させ、ボルト取付孔１１ａ〜１１ｆに挿通した第１〜第６のボルト９ａ〜９ｆをタンクフランジ６のねじ孔に螺入して、ヒータフランジ７をタンクフランジ６に取付ける。この際、ヒータフランジ７に設けたボルト取付孔１１ａ〜１１ｆは、隣接する第１〜第６のボルト取付孔１１ａ〜１１ｅの中心角θが全てθ1 であるが、第５のボルト取付孔１１ｅの半径ｒ2 を第１〜第４のボルト取付孔１１ａ〜１１ｄ及び第６のボルト取付孔１１ｆの半径ｒ1 よりも大きくして、第５のボルト取付孔１１ｅの位置を半径方向の外側にずらして全体として非対称となるようにしてあるので、ヒータフランジ７とタンクフランジ６の位置関係が１か所に定まるようになり、タンク１内において、ヒータ８が必ず下方に向くようにして取付けられる。
こうして電気温水器のヒータ８に通電すると、下方に向いて配置されたヒータ８によってタンク１内の水が暖められる。
【００１９】
実施の形態２によれば、ヒータフランジ７とタンクフランジ６の取付け位置関係が１ケ所に定まるようになり、ヒータ８が必ず下方に向くように取付けることができるので、間違えてヒータ８がタンク１の上方などに向いて取付けられることがなく、タンク１の下方の湯が沸かなくなる等の問題が発生することはない。
【００２０】
［実施の形態３］
図５は本発明の実施の形態３の要部を示す正面図である。実施の形態３では、第１のボルト取付孔１１ａから第６のボルト取付孔１１ｆまでの各中心角θが全て等間隔のθ1 となるようにし、一方、第１〜第４のボルト取付孔１１ａ〜１１ｄ及び第６のボルト取付孔１１ｆの中心部を半径ｒ2 の円周Ｂ上に、第５のボルト取付孔１１ｅの中心部を半径ｒ1 の円周Ａ上に配置してある。こうして、第５のボルト取付孔１１ｅは、ヒータフランジ７の中心Ｏと第２のボルト取付孔１１ｂの中心部を結ぶ線上の内側方向にずらして配設することによって、ボルト取付孔の位置が全体として非対称になるようにしてある。
その他の構成、作用、効果は、実施の形態２で示した場合と実質的に同様なので、説明を省略する。
【００２１】
［実施の形態４］
図６は本発明の実施の形態４の要部を示す正面図である。なお、実施の形態１及び２と同一の構成部分には同じ符号を付し、説明を省略する。まず、ボルト取付孔１１は、実施の形態１で示した場合と同様に、第４のボルト取付孔１１ｄと第５のボルト取付孔１１ｅ間の中心角をθ2 、第５のボルト取付孔１１ｅと第６のボルト取付孔１１ｆ間の中心角をθ3 とし、その他の部分の隣接するボルト取付孔１１間の中心角はθ1 としてある。
一方、実施の形態２に示した場合と同様に、第１〜第４のボルト取付孔１１ａ〜１１ｄ及び第６のボルト取付孔１１ｆの位置を半径ｒ1 の円周Ａ上に配置し、第５のボルト取付孔１１ｅの位置だけを半径方向の外側にずらして半径ｒ2 の円周Ｂ上に配置することによって、非対称となるようにしてある。
【００２２】
上記のように構成した実施の形態４において、タンクフランジ６のねじ孔にヒータフランジ７のボルト取付孔１１ａ〜１１ｆを一致させ、ボルト取付孔１１ａ〜１１ｆに第１〜第６のボルト９ａ〜９ｆを挿通してタンクフランジ６のねじ孔に螺入して、ヒータフランジ７をタンクフランジ６に取付ける。この際、タンクフランジ６とヒータフランジ７を締結するボルトの取付け位置は、第５のボルト取付孔１１ｅの取付角度をずらし、かつ半径方向の外側にずらして全体として非対称となるようにしてあるので、ヒータフランジ７とタンクフランジ６の位置関係が１か所に定まるようになり、タンク１内において、ヒータ８が必ず下方に向くようにして取付けられる。
その他の構成、作用、効果は、実施の形態１または２で示した場合と実質的に同様なので、説明を省略する。
【００２３】
［実施の形態５］
図７は本発明の実施の形態５の要部を示す正面図である。まず、ボルト取付孔１１は、実施の形態１で示したのと同様に、第４のボルト取付孔１１ｄと第５のボルト取付孔１１ｅの間の中心角をθ2 、第５のボルト取付孔１１ｅと第６のボルト取付孔１１ｆの間の中心角をθ3 とし、その他の部分の隣接するボルト取付孔１１間の中心角はθ1 としてある。
一方、実施の形態３に示した場合と同様に、第１〜第４のボルト取付孔１１ａ〜１１ｄ及び第６のボルト取付孔１１ｆの位置を半径ｒ2 の円周Ｂ上に配置し、第５のボルト取付孔１１ｅの位置だけを半径方向の内側にずらして半径ｒ1 の円周Ａ上に配置することによって、非対称となるようにしてある。
その他の構成、作用、効果は、実施の形態４で示した場合と実質的に同様なので、説明を省略する。
【００２４】
［実施の形態６］
実施の形態１〜５では、第５のボルト取付孔１１ｅ１個のみの取付角度を同一円周上でずらし、および／または、第５のボルト取付孔１１ｅ１個のみの取付半径をずらして非対称としていたが、非対称となる２箇所またはそれ以上の箇所に位置する複数のボルト取付孔の取付角度を同一円周上でずらし、および／または取付半径を半径方向にずらすことによって、非対称としてもよい（図示せず）。
その他の構成、作用、効果は、実施の形態１〜５で示した場合と実質的に同様なので、説明を省略する
【００２５】
［実施の形態７］
図８は本発明の実施の形態７の要部を示す正面図である。実施の形態１〜６では、円形のタンクフランジ及びヒータフランジについて説明したが、実施の形態７では、角型である例えば正方形のタンクフランジ及びヒータフランジを用いたものである。なお、実施の形態１と同一の構成部分には同じ符号を付し、説明を省略する。
【００２６】
７は正方形状をなすヒータフランジで、各辺に平行になるようにボルト取付孔１１が８箇所に設けてある。ヒータフランジ７の四隅には、第１のボルト取付孔１１ａ、第３のボルト取付孔１１ｃ、第５のボルト取付孔１１ｅ及び第７のボルト取付孔１１ｇが設けられ、第１のボルト取付孔１１ａと第３のボルト取付孔１１ｃを結ぶ直線Ｃ上には第２のボルト取付孔１１ｂが、第３のボルト取付孔１１ｃと第５のボルト取付孔１１ｅを結ぶ直線Ｄ上には第４のボルト取付孔１１ｄが、第５のボルト取付孔１１ｅと第７のボルト取付孔１１ｇを結ぶ直線Ｅ上には第６のボルト取付孔１１ｆが、また、第７のボルト取付孔１１ｇと第１のボルト取付孔１１ａを結ぶ直線Ｆ上には第８のボルト取付孔１１ｈが設けられている。そして、第５のボルト取付孔１１ｅと第６のボルト取付孔１１ｆ間の距離はＬ2 に設定され、第６のボルト取付孔１１ｆと第７のボルト取付孔１１ｇ間の距離はＬ3 に設定されており、その他のボルト取付孔１１ａ〜１１ｅ，１１ｇ〜１１ａ間の隣接距離はＬ1 に設定されて、それぞれの距離Ｌ1 、Ｌ2 、Ｌ3 の関係は、Ｌ2 ＜Ｌ1 ＜Ｌ3 となっている。
【００２７】
こうして、正方形のヒータフランジ７に設けたボルト取付孔１１間のピッチをずらすことによって、ボルト取付孔１１の位置が非対称となるようにしてある。
なお、上記の説明では、ヒータフランジ７に設けたボルト取付孔１１ａ〜１１ｈについて説明したが、タンクフランジ６に設けたねじ孔も、ヒータフランジ７に設けたボルト取付孔１１ａ〜１１ｈと同様の配列となっている。
【００２８】
上記のように構成した実施の形態７の作用を説明する。タンクフランジ６のねじ孔にヒータフランジ７のボルト取付孔１１ａ〜１１ｈを一致させ、これらボルト取付孔１１ａ〜１１ｆに第１〜第８のボルト９ａ〜９ｈを挿通してタンクフランジ６のねじ孔に螺入し、ヒータフランジ７をタンクフランジ６に取付ける。この際、タンクフランジ６とヒータフランジ７を締結するボルト９ａ〜９ｈのボルト取付孔１１ａ〜１１ｈの位置は、第５のボルト取付孔１１ｅと第６のボルト取付孔１１ｆ間の距離をＬ2 、第６のボルト取付孔１１ｆと第７のボルト取付孔１１間の距離をＬ3 として、第６のボルト取付孔１１ｆの取付位置を第５のボルト取付孔１１ｅ側にずらして、全体として非対称となるようにしてあるので、ヒータフランジ７とタンクフランジ６の位置関係が１か所に定まるようになり、タンク１内において、ヒータ８が必ず下方に向くようにして取付けられる。
【００２９】
こうして電気温水器のヒータに通電すると、下方に向いて配置されたヒータによってタンク１内の水が暖められる。
なお、上記の説明では、角型フランジとして正方形のフランジを示したが、これに限定するものではなく、多角形であれば他の形状であってもよい。
実施の形態７によれば、ヒータフランジ７とタンクフランジ６の取付け位置関係が１ケ所に定まるようになり、ヒータ８が必ず下方に向くように取付けることができるので、間違えてヒータ８がタンク１の上方に向くように取付けられることもなく、タンク１の下側に湯が沸かなくなる等の問題が発生することはない。
【００３０】
［実施の形態８］
実施の形態７では、第６のボルト取付孔１１ｆのみをずらして隣接するボルト取付孔１１ｅ，１１ｇ間のピッチを変え、非対称としていたが、２箇所またはそれ以上の箇所に位置する複数のボルト取付孔をずらすことによって非対称としてもよい（図示せず）。
その他の構成、作用、効果は、実施の形態７で示した場合と実質的に同様なので、説明を省略する
【００３１】
【発明の効果】
以上の説明から明らかなように、本発明は、タンクにタンクフランジを設け、タンクフランジにヒータを備えたヒータフランジを複数のボルトによって取付けてタンク内にヒータを配設した電気温水器であって、ボルトの取付位置を非対称にしたので、ヒータの取付位置の誤装着を防止して、ヒータを確実に正しい向きに取付けることができる。
また、ボルトの取付位置を１か所、または複数か所ずらすことによってボルトの取付位置を非対称に構成したので、コストアップすることなく、ヒータフランジとタンクフランジの取付け位置関係が１か所に定まるようになり、ヒータが必ず下方に向くように取付けることができる。
【００３２】
さらに、円形のフランジに設けたボルト取付孔を同一円周上から半径方向にずらし、及び／又はボルト取付孔の中心角をずらすことによって、ボルト取付位置を非対称にしたので、コストアップすることなく、ヒータフランジとタンクフランジの取付け位置関係が１か所に定まるようになり、ヒータが必ず下方に向くように取り付けることができ、ヒータがタンクの上方に向くように間違えて取付けてタンク下方に湯が沸かなくなるというようなことがない。
【００３３】
また、多角形のフランジに設けたボルト取付孔間のピッチをずらすことによって、ボルトの取付位置を非対称にしたので、コストアップすることなく、ヒータフランジとタンクフランジの取付け位置関係が１か所に定まるようになり、ヒータが必ず下方に向くように取付けることができ、ヒータがタンクの上方に向くように間違えて取付けてタンク下方が湯に沸かなくなるというようなことがない。
【図面の簡単な説明】
【図１】  本発明の実施の形態１の正面図である。
【図２】  図１の一部を断面で示した側面図である。
【図３】  図１の要部の正面図である。
【図４】  本発明の実施の形態２の要部の正面図である。
【図５】  本発明の実施の形態３の要部の正面図である。
【図６】  本発明の実施の形態４の要部の正面図である。
【図７】  本発明の実施の形態５の要部の正面図である。
【図８】  本発明の実施の形態７の要部の正面図である。
【図９】  従来の電気温水器のタンクの一例を示す正面図である。
【図１０】  図９の一部を断面で示した側面図である。
【図１１】  図９の要部の正面図である。
【図１２】  ヒータを誤装着した場合の一例を示す説明図である。
【符号の説明】
１  タンク、４  ヒータ取付孔、６  タンクフランジ、７  ヒータフランジ、８  ヒータ、９，９ａ〜９ｈ  ボルト、１１，１１ａ〜１１ｈ  ボルト取付孔。
【図１】
0004106505.tif 000002
【図２】
0004106505.tif 000003
【図３】
0004106505.tif 000004
【図４】
0004106505.tif 000005
【図５】
0004106505.tif 000006
【図６】
0004106505.tif 000007
【図７】
0004106505.tif 000008
【図８】
0004106505.tif 000009
【図９】
0004106505.tif 000010
【図１０】
0004106505.tif 000011
【図１１】
0004106505.tif 000012
【図１２】
0004106505.tif 000013